(57)【要約】【課題】効率良く、且つ衛生的に汚物を廃棄処理可能とする汚物廃棄処理装置を提供する。【解決手段】上方向へ向けて広がる漏斗形状を成し、大径口側から汚物を吸入するホッパー部と、ホッパー部の小径口側と連通し、内部に当該ホッパー部から吸入された汚物を堆積する内部空間を有するタンク部と、タンク部の内部の空気を吸引して、当該タンク部の内部、およびホッパー部において負圧を発生させるバキューム部とを備え、タンク部は、内部空間に堆積した汚物を排出するための開閉自在な廃棄口を底面に含み、タンク部には、当該タンク部の内部に堆積した汚物を回収するためのゴミ袋の内部が廃棄口と連通するように着脱自在に装着される、汚物廃棄処理装置である。【選択図】図１
0003154646.tif 000002
【実用新案登録請求の範囲】
【請求項１】
上方向へ向けて広がる漏斗形状を成し、大径口側から汚物を吸入するホッパー部と、
前記ホッパー部の小径口側と連通し、内部に当該ホッパー部から吸入された汚物を堆積する内部空間を有するタンク部と、
前記タンク部の内部の空気を吸引して、当該タンク部の内部、および前記ホッパー部において負圧を発生させるバキューム部とを備え、
前記タンク部は、前記内部空間に堆積した汚物を排出するための開閉自在な廃棄口を底面に含み、
前記タンク部には、当該タンク部の内部に堆積した汚物を回収するためのゴミ袋の内部が前記廃棄口と連通するように着脱自在に装着される、汚物廃棄処理装置。
【請求項２】
前記タンク部は、前記内部空間を上下方向に分割し、開閉自在に構成される隔壁をさらに含み、
前記タンク部は、前記隔壁が閉じた状態で当該隔壁により分割された前記内部空間の上側の空間において、前記ホッパー部および前記バキューム部の各々と連通する、請求項１に記載の汚物廃棄処理装置。
【請求項３】
一方開口端部を前記タンク部と連通し、他方開口端部から汚物を吸入する、柔軟性を有したホースをさらに備える、請求項１に記載の汚物廃棄処理装置。
【請求項４】
前記ホースの他方開口端部に着脱自在に取り付け可能な硬質性のノズルをさらに備える、請求項３に記載の汚物廃棄処理装置。
【請求項５】
前記汚物廃棄処理装置は、
前記ホッパー部の開閉度合いを変更するための第１バルブ部と、
前記ホースの開閉度合いを変更するための第２バルブ部とをさらに備える、請求項３に記載の汚物廃棄処理装置。
【請求項６】
前記ホッパー部は、屋内に配置され、
前記タンク部は、屋外に配置され、
前記ホッパー部とタンク部とは、屋内外を貫通する管状部材を介して連通する、請求項１に記載の汚物廃棄処理装置。
【請求項７】
上方向を向いた開口部を有して前記ゴミ袋を内部に装填可能な収集容器をさらに備え、
前記収集容器の開口部の縁部と、前記タンク部の底面とは、各々前記ゴミ袋の袋口の縁を挟み込むようにして互いに密着して連結する、請求項１に記載の汚物廃棄処理装置。
【請求項８】
前記収集容器は透明に形成される、請求項７に記載の汚物廃棄処理装置。
【請求項９】
前記タンク部は、当該タンク部の内部を透視可能な透明の窓部をさらに含む、請求項１に記載の汚物廃棄処理装置。
【請求項１０】
一方開口端部が前記タンク部の内部において開口し、他方開口端部が前記ホッパー部の小径口側と連通することにより、前記ホッパー部と当該タンク部とを連通させる第１連結管部と、
一方開口端部が前記タンク部の内部において開口し、他方開口端部が前記バキューム部の吸引口と連通することにより、前記バキューム部と当該タンク部とを連通させる第２連結管部とをさらに備え、
前記第２連結管部の一方開口端部は、前記タンク部内において前記第１連結管部の一方開口端部より高い位置に配置される、請求項１に記載の汚物廃棄処理装置。
【請求項１１】
前記バキューム部は、吸引した前記タンク部の内部の空気を浄化して排出する浄化部を備える、請求項１に記載の汚物廃棄処理装置。
【請求項１２】
前記浄化部は、吸引した前記タンク部の内部の空気を透過し、当該空気中の粉塵を吸着するフィルタ部材である、請求項１１に記載の汚物廃棄処理装置。
【考案の詳細な説明】
【技術分野】
【０００１】
汚物廃棄処理装置および汚物堆積装置に関し、より特定的には、動物の飼育ケージに用いられる床敷材を廃棄処理するための汚物廃棄処理装置に関する。
【背景技術】
【０００２】
従来、マウスなどの実験用の小型動物を飼育する際、木片や紙片などをもとに製造されたチップがケージの床敷材として用いられている。飼育者は、床敷材を廃棄し、新しい床敷材に交換することによって、床敷材に付着した糞尿等の汚物を廃棄し、ケージ内を清潔に保つことができる。このように床敷材を廃棄処理する際には、例えば、当該床敷材を吸引する処理装置を用いると便利である。
【０００３】
上記のような処理装置の一例が、特許文献１に開示されている。特許文献１に開示される廃棄物処理装置は、真空掃除機の吸引力により廃棄物を吸引し、粉塵のみを掃除機で吸引し、比較的質量の大きい床敷材等は廃棄物収容器に装填された廃棄物収納袋に回収することができる。
【先行技術文献】
【特許文献】
【０００４】
【特許文献１】特開平９−１５４７８５号公報
【考案の概要】
【考案が解決しようとする課題】
【０００５】
しかしながら、上記特許文献１の図１および図２に開示される廃棄物処理装置では、ケージの床を吸引部にあてがいながら動かす作業をしなければ、床敷材を吸引させることができず、作業者の手間を要していた。また、上記のような作業中に床敷材等の汚物がこぼれてしまい、効率の良い廃棄処理ができない場合があった。
【０００６】
本考案は上記の課題を鑑みて成されたものであり、効率良く、且つ衛生的に汚物を廃棄処理可能とする汚物廃棄処理装置を提供することを目的とする。
【課題を解決するための手段】
【０００７】
上記の課題を解決するため、本願は以下の構成を採用した。すなわち、第１の考案は、上方向へ向けて広がる漏斗形状を成し、大径口側から汚物を吸入するホッパー部と、ホッパー部の小径口側と連通し、内部に当該ホッパー部から吸入された汚物を堆積する内部空間を有するタンク部と、タンク部の内部の空気を吸引して、当該タンク部の内部、およびホッパー部において負圧を発生させるバキューム部とを備え、タンク部は、内部空間に堆積した汚物を排出するための開閉自在な廃棄口を底面に含み、タンク部には、当該タンク部の内部に堆積した汚物を回収するためのゴミ袋の内部が廃棄口と連通するように着脱自在に装着される、汚物廃棄処理装置である。
【０００８】
第２の考案は、第１の考案において、タンク部は、内部空間を上下方向に分割し、開閉自在に構成される隔壁をさらに含み、タンク部は、隔壁が閉じた状態で当該隔壁により分割された内部空間の上側の空間において、ホッパー部およびバキューム部の各々と連通することを特徴とする。
【０００９】
第３の考案は、第１の考案において、一方開口端部をタンク部と連通し、他方開口端部から汚物を吸入する、柔軟性を有したホースをさらに備えることを特徴とする。
【００１０】
第４の考案は、第３の考案において、ホースの他方開口端部に着脱自在に取り付け可能な硬質性のノズルをさらに備えることを特徴とする。
【００１１】
第５の考案は、第３の考案において、汚物廃棄処理装置は、ホッパー部の開閉度合いを変更するための第１バルブ部と、ホースの開閉度合いを変更するための第２バルブ部とをさらに備えることを特徴とする。
【００１２】
第６の考案は、第１の考案において、ホッパー部は、屋内に配置され、タンク部は、屋外に配置され、ホッパー部とタンク部とは、屋内外を貫通する管状部材を介して連通することを特徴とする。
【００１３】
第７の考案は、第１の考案において、上方向を向いた開口部を有してゴミ袋を内部に装填可能な収集容器をさらに備え、収集容器の開口部の縁部と、タンク部の底面とは、各々ゴミ袋の袋口の縁を挟み込むようにして互いに密着して連結することを特徴とする。
【００１４】
第８の考案は、第７の考案において、収集容器は透明に形成されることを特徴とする。
【００１５】
第９の考案は、第１の考案において、タンク部は、当該タンク部の内部を透視可能な透明の窓部をさらに含むことを特徴とする。
【００１６】
第１０の考案は、第１の考案において、一方開口端部がタンク部の内部において開口し、他方開口端部がホッパー部の小径口側と連通することにより、ホッパー部と当該タンク部とを連通させる第１連結管部と、一方開口端部がタンク部の内部において開口し、他方開口端部がバキューム部の吸引口と連通することにより、バキューム部と当該タンク部とを連通させる第２連結管部とをさらに備え、第２連結管部の一方開口端部は、タンク部内において第１連結管部の一方開口端部より高い位置に配置されることを特徴とする。
【００１７】
第１１の考案は、第１の考案において、バキューム部は、吸引したタンク部の内部の空気を浄化して排出する浄化部を備えることを特徴とする。
【００１８】
第１２の考案は、第１１の考案において、浄化部は、吸引したタンク部の内部の空気を透過し、当該空気中の粉塵を吸着するフィルタ部材であることを特徴とする。
【考案の効果】
【００１９】
第１の考案によれば、効率良く汚物を廃棄処理可能である。具体的には、ホッパー部に汚物を投下するだけで当該汚物がタンク部へ吸引回収されるため、汚物をこぼすことなく、衛生的、且つ容易に廃棄処理することができる。
【００２０】
第２の考案によれば、タンク部に堆積された汚物を、一定量ずつゴミ袋へ収容することができるため、汚物がゴミ袋からあふれることなく、容易且つ衛生的に汚物を廃棄処理することができる。具体的には、ホッパー部から吸引された汚物は、一旦、第１空間に堆積される。ここで、バキューム部の動作を停止させた後、隔壁を開閉すると、一定量の汚物だけが隔壁により分割されたタンク部の内部空間の下側の空間に堆積し、余剰の汚物は上側の第１空間に残る。この状態で、タンク部底面の廃棄口を開放すると、上記下側の空間に堆積した一定量の汚物のみを廃棄口と連通するゴミ袋内へ収容することができる。
【００２１】
第３の考案によれば、ホッパー部に投下してなおケージの床に残った細かな汚物を、ホースの他方開口端部において発生する負圧によって、容易にタンク部内へ吸引除去することができる。
【００２２】
第４の考案によれば、作業者はノズルを把持することによって、ホースの吸い口を容易に所望の位置へ移動させることができる。したがって、ケージの床に残った細かな汚物を簡単に除去することができる。
【００２３】
第５の考案によれば、ホッパー部およびホースの開口部において発生する負圧の低下を防ぎ、吸引力を維持することができる。具体的には、ホッパー部を使用する間は、第２バルブ部を閉状態とし、ホースを使用する間は、第１バルブ部を閉状態とすれば、不要な負圧の分散を防ぐことができる。したがって、ホッパー部、およびホースのうち使用中の部材の吸引力の低下を抑制することができる。
【００２４】
第６の考案によれば、例えば、ケージが設置された室内にホッパー部を配置することができるため、汚物を廃棄処理する際にケージを運搬する距離を短縮することができる。つまり、作業者が効率良く廃棄処理を行うことができる。また、タンク部を屋外に配置することができるため、タンク部の設置のために屋内に大きなスペースを準備する必要が無くて済む。
【００２５】
第７の考案によれば、簡単且つ確実にゴミ袋の袋口とタンク部の廃棄口とを連通させた状態で固定することができるため、汚物をタンク部からゴミ袋へ移す際に、当該汚物や粉塵がゴミ袋の外に漏れることがない。また、ゴミ袋が収集容器に覆われるため、ゴミ袋が破損することがなく、当該破損によりゴミ袋から汚物が漏れることを防ぐことができる。また、ゴミ袋が収集容器に覆われるため、ゴミ袋が予め破損していたとしても汚物は収集容器内から漏れることはなく、タンク部の周囲を清潔に保つことができる。
【００２６】
第８の考案によれば、収集容器が透明に形成されるため、作業者は汚物がゴミ袋に回収される様子を視認することができる。したがって、作業者はゴミ袋があふれないようにタンク部の廃棄口の開閉状態を調整しながら、汚物をタンク部からゴミ袋へ移すことができる。
【００２７】
第９の考案によれば、タンク部内に堆積している汚物の量を視認することができる。したがって、作業者は、タンク部に堆積した汚物をゴミ袋へ移して廃棄するタイミングを容易に判断することができる。
【００２８】
第１０の考案によれば、ホッパー部からタンク部の内部へ吸引された汚物が、バキューム部へ吸い出されることを防ぐことができる。したがって、バキューム部の故障を防ぐことができる。
【００２９】
第１１の考案によれば、バキューム部周囲の空気を汚すことなく、周囲の環境を清潔に保つことができる。
【００３０】
第１２の考案によれば、簡単な構成でバキューム部が吸引した空気を浄化することができる。
【図面の簡単な説明】
【００３１】
【図１】本考案に係る汚物廃棄処理装置１の全体構成を示す図
【図２】本考案に係るタンク４０の側面図
【図３】本考案に係る隔壁４１が開状態にされたタンク４０の断面図
【図４】本考案に係る隔壁４１が開状態にされた後に閉状態にされたタンク４０の断面図
【図５】本考案に係る廃棄口４２が開状態にされたタンク４０の断面図
【考案を実施するための形態】
【００３２】
以下、図１から図５を参照して、本考案の実施形態に係る汚物廃棄処理装置１について説明する。
【００３３】
図１は、汚物廃棄処理装置１の全体構成を示す図である。図１に示すように、汚物廃棄処理装置１は、ホッパー１０、ホース２１、タンク４０、収集容器５０、およびバキューム７０を備える。
【００３４】
ホッパー１０は、上方向へ向けて広がる漏斗形状を成す部材である。ホッパー１０は、小径口側で第１連結管３０を介してタンク４０と連通する。なお、ホッパー１０の大径口側は、汚物を投入するための投入口となる。
【００３５】
ホース２１は、柔軟性を有する筒状部材である。ホース２１は、一方開口端部が第１連結管３０を介してタンク４０と連通する。ホース２１は、他方開口端部に着脱自在に取り付け可能なノズル２０を備える。ノズル２０は、硬質性素材で形成された筒状部材である。ノズル２０は、汚物を吸入するための吸入口となる。
【００３６】
第１連結管３０は、ホッパー１０とタンク４０とを連通する管状部材である。第１連結管３０の、一方端はタンク４０に連通し、他方端は二股に分岐してホッパー１０およびホース２１に各々に連通する。
【００３７】
上記の通り、ホッパー１０およびタンク４０は、第１連結管３０により連通するため、各々個別に任意の位置に配置することが可能である。例えば、ケージが設置された室内にホッパー１０を配置することができるため、汚物を廃棄処理する際にケージを運搬する距離を短縮することができる。つまり、作業者が効率良く廃棄処理を行うことができる。また、タンク４０を屋外に配置することができるため、タンク４０の設置のために屋内に大きなスペースを準備する必要が無くて済む。
【００３８】
第１連結管３０は、ホッパー１０の開閉度合いを切り替えるための第１バルブ１１を備える。同様に、第１連結管３０は、ホース２１の開閉度合いを切り替えるための第２バルブ２２を備える。第１バルブ１１および第２バルブ２２は、何れもボールバルブにより構成することが好ましい。第１バルブ１１および第２バルブ２２を、ボールバルブで構成することによって、当該各バルブがバタフライバルブ等で構成された場合に比べ、各バルブが開状態である場合に吸引した汚物が各バルブにおいて詰まり難くすることができる。なお、以下では、第１バルブ１１および第２バルブ２２の各々について、完全に開いた状態を開状態と呼称し、完全に閉じた状態を閉状態と呼称する。
【００３９】
タンク４０は、ホッパー１０およびノズル２０から吸入された汚物を堆積する内部空間を有する貯蔵槽である。タンク４０の内部空間の容積は、任意の容積に定められて良い。例えば、１日に生ずる汚物の量に応じてタンク４０の内部空間の容積を定めるなどして良い。タンク４０は、例えば、内部が空洞の円柱状の部材である。タンク４０は、隔壁４１、廃棄口４２、および窓４３、および天板４６を備える。
【００４０】
隔壁４１は、タンク４０の内部空間を上下方向に分割し、開閉自在に構成される部材である。隔壁４１は、例えば、タンク４０の内部から外部へ抜き取り可能な板状部材、およびタンク４０の内面に備えられて当該板状部材を水平方向に摺動可能に把持するガイドレールから成る。作業者は、隔壁４１の板状部材をタンク４０の内部から外部へ抜き出すことにより、隔壁４１を閉状態から開状態にすることができる。なお、隔壁４１は、当該隔壁４１の開閉状態に関わらず、タンク４０の内部の気密性を維持する構造とすることが好ましい。例えば、隔壁４１は、板状部材とタンク４０との間にゴム製の弁を備えることによって上記のような気密性を確保しても構わない。なお、上記に示した隔壁４１の構成は一例であり、タンク４０の内部空間を上下方向に分割し、開閉自在に構成されていれば、従来周知の任意の構成を用いて良い。以下では、タンク４０の内部空間のうち隔壁４１により分割された上側の空間を上方空間ＳＵと呼称し、下側の空間を下方空間ＳＬと呼称する。なお、上述の第１連結管３０は、上方空間ＳＵの内部において開口して、タンク４０とホッパー１０とを連通させる。
【００４１】
廃棄口４２は、タンク４０の内部空間に堆積した汚物を排出するためにタンク４０の底面に設けられ、開閉自在に構成された開口部である。廃棄口４２には、例えば、タンク４０の内部から外部へ抜き取り可能な板状部材である床板４４、およびタンク４０の内面に備えられて当該板状部材を水平方向に摺動可能に把持するガイドレールが備えられる。作業者は、床板４４をタンク４０の内部から外部へ抜き出すことにより、廃棄口４２を閉状態から開状態にすることができる。なお、上記に示した廃棄口４２の構成は一例であり、タンク４０の底面に備えられ、開閉自在に構成されていれば、従来周知の任意の構成を用いて良い。
【００４２】
窓４３は、タンク４０の内部を透視可能な透明な部材である。具体的には、窓４３は、図２に示すように、タンク４０の側面において上下方向に長く形成される。なお、図２は、タンク４０の側面図である。作業者は、窓４３からタンク４０内に堆積する汚物の量を視認することができる。すなわち、窓４３は、いわゆるレベルゲージの役割を果たす。なお、タンク４０の内部を透視可能であれば、窓４３の形状および配置は上記に限らずとも良い。
【００４３】
天板４６は、タンク４０の上蓋である。天板４６は、開閉自在に構成されており、作業者は天板４６を開くことによりタンク４０の内部を容易に清掃することが可能である。また、タンク４０は、天板４６に代えて、タンク４０の内部へ洗浄液を流入するための洗浄液用ノズル（図示せず）をタンク４０の上部に備えても構わない。このような洗浄液用ノズルを用いてタンク４０内に噴射することによっても容易にタンク４０内部を清掃することが可能である。
【００４４】
収集容器５０は、上方向に開口し、ゴミ袋５１を内部に装填可能な容器である。収集容器５０の開口部の縁部と、タンク４０の底面４５とは、各々ゴミ袋５１の袋口の縁を挟み込むようにして互いに密着して連結する。具体的には、収集容器５０は、当該収集容器５０の底面を上方向へ付勢する金属製のスプリング等の発条部材を備えた台車（図示せず）の上に載置される。そして、上方向に付勢された収集容器５０の開口部の縁部が、タンク４０の底面４５に対して所定の圧力をもって当接することによって、互いに密着するように連結するのである。このような構成によれば、簡単且つ確実にゴミ袋５１の内部とタンク４０の廃棄口４２とを連通させて、ゴミ袋５１をタンク４０に着脱自在に装着することができる。そのため、汚物をタンク４０からゴミ袋へ移す際に、当該汚物や粉塵がゴミ袋５１の外に漏れることがない。また、ゴミ袋５１が収集容器に覆われるため、ゴミ袋が破損することがなく、当該破損によりゴミ袋から汚物が漏れることを防ぐことができる。また、ゴミ袋５１が収集容器５０に覆われるため、ゴミ袋５１が予め破損していたとしても汚物は収集容器５０の内部から漏れることはなく、タンク４０の周囲を清潔に保つことができる。なお、ゴミ袋５１の内部とタンク４０の廃棄口４２とを連通させて、ゴミ袋５１をタンク４０に着脱自在に装着可能であれば、ゴミ袋５１をタンク４０に装着させる方法は上記に限らず、従来周知の手法を用いて構わない。
【００４５】
また、収集容器５０は、透明な素材により成形される。したがって、作業者は汚物がゴミ袋に回収される様子を視認することができる。
【００４６】
ゴミ袋５１は、タンク４０の内部に堆積した汚物を回収するための袋である。ゴミ袋５１は、例えば、ポリビニル等の透明且つ柔軟性を有する素材で形成される。
【００４７】
第２連結管６０は、タンク４０とバキューム７０とを連通する管状部材である。なお、第２連結管６０は、上方空間ＳＵの内部において開口して、タンク４０とバキューム７０とを連通させる。なお、第１連結管３０および第２連結管６０は何れも一方開口端部がタンク４０内部において開口するが、タンク４０内部において、第２連結管６０の開口端部の開口位置は、第１連結管３０の開口位置より高い位置に配置される。
【００４８】
バキューム７０は、タンク４０の内部の空気を吸引して、当該タンク４０の内部、およびホッパー１０において負圧を発生させる吸引装置である。バキューム７０は、吸引した空気を浄化して排出する。具体的には、バキューム７０は、空気を透過し、透過した空気中に含まれている粉塵等を吸着するフィルタを備える。そして、バキューム７０は、吸引した空気を上記フィルタに透過させてから排出する。このように、バキューム７０は、吸引した空気を浄化して排出するため、バキューム７０周囲の空気を汚すことなく、周囲の環境を清潔に保つことができる。また、上記のようなフィルタを用いることによって、簡単な構成でバキューム７０が吸引した空気を浄化することができる。
【００４９】
以下、汚物廃棄処理装置１を用いて汚物を処理する方法について説明する。
【００５０】
先ず、汚物をタンク４０へ回収する方法について説明する。作業者は、隔壁４１および廃棄口４２を何れも閉状態とする。そして、作業者は、バキューム７０を動作させて空気の吸引を開始する。すると、タンク４０内部に負圧が発生する。そして、第１バルブ１１が開状態である場合、ホッパー１０において負圧が発生する。この状態で、作業者はケージ１００の内部の汚物をホッパー１０に投入する。ホッパー１０の大径口側に投入された汚物は、ホッパー１０から第１連結管３０を通りタンク４０内へ吸引される。
【００５１】
また、第２バルブ２２が開状態である場合、ホース２１およびノズル２０において負圧が発生する。作業者は、ケージ１００に汚物が残っている場合、残った汚物にノズル２０を近づけることにより、当該汚物を吸引させる。そして、ノズル２０から吸引された汚物は、ホース２１から第１連結管３０を通りタンク４０内へ吸引される。
【００５２】
ここで、第１バルブ１１を開状態とし、且つ第２バルブ２２を閉状態としている場合、第１バルブ１１および第２バルブ２２の双方を開状態としている場合に比べ、ホッパー１０において大きな負圧（吸引力）を発生させることができる。一方、第１バルブ１１を閉状態とし、第２バルブ２２を開状態としている場合、第１バルブ１１および第２バルブ２２の双方を開状態としている場合に比べ、ノズル２０およびホース２１において大きな負圧（吸引力）を発生させることができる。すなわち、ホッパー１０およびノズル２０のうち、使用する部材に対応するバルブを開状態とし、使用しない部材に対応するバルブを閉状態とすれば、使用する部材において発生する負圧の低下を防ぐことができる。
【００５３】
上記の通り、ホッパー１０が漏斗形状を成していることから、作業者はケージ１００内の汚物をケージ１００から直接ホッパー１０へ容易に流し入れることができる。また、ホッパー１０において負圧が発生しているため、汚物をこぼしたり粉塵を舞わせたりすることなく、衛生的、且つ容易に汚物をタンク４０に回収することができる。
【００５４】
また、ノズル２０からも汚物をタンク４０へ回収することができるため、ホッパー１０に投下してなおケージ１００の床に残った細かな汚物を、ホース２１のノズル２０において発生する負圧によって、容易にタンク部内へ吸引除去することができる。このような作業を想定するため、ホース２１およびノズル２０は、ホッパー１０の上方に予め配置されることが好ましい。
【００５５】
タンク４０内部に汚物が吸引されると、比較的質量の大きい床敷材等の汚物は上方空間ＳＵに堆積する。そして、タンク４０内部の比較的質量の小さい粉塵等は空気とともに第２連結管を介してバキューム７０へ吸引される。
【００５６】
ここで、上述の通り、タンク４０内部において第１連結管３０の開口端部は第２連結管６０の開口端部より高い位置に配置されている。そのため、ホッパー１０およびノズル２０からタンク４０の内部へ吸引された汚物のうち、比較的質量の大きなものは上方空間ＳＵ内に落下し、バキューム７０へ吸い出されることがない。したがって、バキューム７０内部で汚物が目詰まりなどを起こして、バキューム７０が故障することを防ぐことができる。
【００５７】
なお、バキューム７０に吸引された粉塵は、上述の通り、バキューム７０の内部においてフィルタにより除去され、清浄化された空気のみが排出される。
【００５８】
次いで、タンク４０に堆積した汚物をゴミ袋５１に回収する方法について説明する。作業者は、先ず、バキューム７０を停止させる。そして、隔壁４１を開状態とする。隔壁４１が開状態になると、図３に示すように上方空間ＳＵに堆積していた汚物が下方空間ＳＬへ落下する。なお、図３は隔壁４１が開状態にされたタンク４０の断面図である。
【００５９】
汚物が下方空間ＳＬへ落下した後、作業者は、隔壁４１を閉状態とする。この作業によって、図４に示すように、下方空間ＳＬは、一定量の汚物で満たされる。なお、図４は、本考案に係る隔壁４１が開状態にされた後に閉状態にされたタンク４０の断面図である。
【００６０】
そして、作業者は、図４に示す状態から廃棄口４２を開状態とする。廃棄口４２を開状態とすると、図５に示すように下方空間ＳＬに堆積した汚物が廃棄口４２からゴミ袋５１へ落下する。なお、図５は、本考案に係る廃棄口４２が開状態にされたタンク４０の断面図である。
【００６１】
作業者は、上述した隔壁４１および廃棄口４２の開閉操作を繰り返すことによって、汚物を一定量ずつタンク４０からゴミ袋５１へ移すことができる。したがって、汚物がゴミ袋５１からあふれることがない。作業者は、ゴミ袋５１に任意の量の汚物を移し終えると、ゴミ袋５１をタンク４０から取り外し、ゴミ袋５１の袋口を縛ってゴミ袋５１ごと汚物を廃棄する。
【００６２】
以上の通り、本考案に係る汚物廃棄処理装置によれば、効率良く、且つ、衛生的に汚物を廃棄処理することができる。
【００６３】
なお、上記実施形態では、本考案の汚物廃棄処理装置１が収集容器５０を備える例について説明したが、廃棄口４２にゴミ袋５１の袋口とを着脱可能に装着可能に構成されており、且つゴミ袋５１が十分な強度を備えている場合、本考案の汚物廃棄処理装置１は、収集容器５０を備えない構成としても構わない。
【００６４】
また、上記実施形態では、ホース２１の他方開口端部にノズル２０を備える例について説明したが、ホース２１の剛性や取り回しが容易であり、汚物の吸引作業に支障がなければ、ノズル２０を備えない態様としても構わない。
【００６５】
また、上記ノズル２０として、一般的に家庭用電気掃除機等に用いられるアタッチメントを用いても構わない。具体的には、ノズル２０は、長刀形状や、Ｔ字形状を成していても構わないし、筒口の周りにブラシ等を備えていても構わない。
【産業上の利用可能性】
【００６６】
本考案に係る汚物廃棄処理装置は、効率良く汚物を廃棄処理可能とする汚物廃棄処理装置などとして有用である。
【符号の説明】
【００６７】
１      汚物廃棄処理装置
１０    ホッパー
１１    第１バルブ
２０    ノズル
２１    ホース
２２    第２バルブ
３０    第１連結管
４０    タンク
４１    隔壁
４２    廃棄口
４３    窓
４４    床板
４５    床面
４６    天板
５０    収集容器
６０    第２連結管
７０    バキューム
１００  ケージ
【図１】
0003154646.tif 000003
【図２】
0003154646.tif 000004
【図３】
0003154646.tif 000005
【図４】
0003154646.tif 000006
【図５】
0003154646.tif 000007